(57)【要約】【課題】電極付着物により流量測定ができなること回避し、電極付着物の洗浄作業を必須としない、電磁流量計を提供することにある。【解決手段】  電磁流量計の電極の接液面に絶縁物等の付着物が付着した場合に、電極の一端に結合されている信号線を引っ張ることで長さ方向に電極を移動させることにより、付着物が付着していない他の電極部分を新たな接液面にして、電極接液面を変更することを特徴とするものである。【選択図】図１
2016008840.tif 000002
【特許請求の範囲】
【請求項１】
測定流体が流れる測定管の管内に、流量信号を検出するための電極が配置された電磁流量計において、
前記測定管の管壁を貫通する第一及び第二の孔と、前記測定管の外側で電極を固定する部材と、を有し
前記電極は、前記測定管の外側から前記第一の孔を貫通して前記測定管の内側に入り、前記測定管の内側から前記第二の孔を貫通して前記測定管の外側に引き出され、長さ方向に移動可能に保持された構成になっていて、
前記電極は、前記電極を固定する前記部材の固定力よりも大きな力で引っ張られると長さ方向に移動して前記測定管の内側に露呈する箇所が変わり、移動後の位置に前記部材により固定されることを特徴とする電磁流量計。
【請求項２】
前記電極は、前記第一の孔及び前記第二の孔の開口部のうち前記測定管の外側の各開口部に設置された前記電極を固定するための前記部材により固定され、前記電極の一端は信号線に接続され、前記信号線が前記電極を固定する前記部材の固定力よりも大きな力で引っ張られると前記電極が長さ方向に移動して前記測定管の内側に露呈する箇所が変わり、移動後の位置に前記部材により固定されることを特徴とする請求項１記載の電磁流量計。
【請求項３】
前記電極は、ワイヤー電極、ワイヤーが環状形状の電極、ローラー形状の電極、帯状の電極、またはリング状の電極であり、前記部材がワイヤー固定バネであることを特徴とする、請求項１記載、または請求項２記載の電磁流量計。
【発明の詳細な説明】
【技術分野】
【０００１】
本発明は、測定流体が流れる測定管の管内に、流量信号を検出するための電極が配置された電磁流量計に関する。
【背景技術】
【０００２】
図３は、従来の電磁流量計の構成例を示した図である。電磁流量計は、励磁回路３０により発振される所定の励磁周期の矩形波励磁信号に基づき励磁コイル３１を励磁させ、被測定流体が流れる測定管３２、及び測定管３２内の流体に磁界を印加し、励磁周期に同期して流体から得られた検出信号のうち、信号電圧がほぼ定常となる区間でサンプリングして、流量信号を電極３３及び、電極３４から検出する。検出した信号は、ＡＭＰ３５で増幅され、Ａ／Ｄ変換器３６でデジタル値に変換され、変換後ＣＰＵ３７で演算処理される。ＣＰＵ３７における演算処理後のデータが出力される。
【０００３】
図４は、従来の電磁流量の電極構造を示した断面図である。電極４０は、測定管４１、及びライニング４２を貫通し、電極バネ４３によりライニング４２に固定されている。起電力を検出する電極４０の接液面とは逆側の電極４０に接続されている信号線４４により、検出信号がＡＭＰ（図４には記載されていない）に伝送される。このように、電極４０はライニング４２に固定され、可動構造とはなっていないので、電極４０の接液面は、常に同じである。
【０００４】
特許第３７６５４０７号公報に開示された電磁流量計においても、電極は測定管内に固定されていて、電極の接液面を変えることはできない。
【先行技術文献】
【特許文献】
【０００５】
【特許文献１】特許第３７６５４０７号公報
【発明の概要】
【発明が解決しようとする課題】
【０００６】
しかしながら、測定する流体の種類によっては、電磁流量計の電極に絶縁物等が付着し、付着により電極が絶縁物に覆われてしまうと、電磁流量計は、流体からの信号を検出できなくなるという問題と、電極付着物の除去には、電磁流量計を配管から取り外して電極を洗浄する必要があるため、液体の流れをその間停止する必要があり、配水中止の通知等、諸作業が発生するという問題があった。
【０００７】
本発明の目的は、電磁流量計の電極に絶縁物等の付着物が付着しても、電極の一端に接続されている信号線などを引っ張ることで電極を移動させることにより、付着物が付着していない他の電極部分を新たな接液面にして、当該電極部分を流量測定のための電極に使用することによって、電極付着物による流量測定が継続できなくなること回避し、流量測定継続のために電磁流量計を配管から外して電極付着物を洗浄除去することを必須としない、電磁流量計の電極接液面変更方法、及び電磁流量計の電極構造を提供することにある。
【課題を解決するための手段】
【０００８】
このような課題を解決するために、請求項１記載の発明は、
測定流体が流れる測定管の管内に、流量信号を検出するための電極が配置された電磁流量計において、
前記測定管の管壁を貫通する第一及び第二の孔と、前記測定管の外側で電極を固定する部材と、を有し
前記電極は、前記測定管の外側から前記第一の孔を貫通して前記測定管の内側に入り、前記測定管の内側から前記第二の孔を貫通して前記測定管の外側に引き出され、長さ方向に移動可能に保持された構成になっていて、
前記電極は、前記電極を固定する前記部材の固定力よりも大きな力で引っ張られると長さ方向に移動して前記測定管の内側に露呈する箇所が変わり、移動後の位置に前記部材により固定されることを特徴とするものである。
【０００９】
請求項２の発明は、請求項１記載の発明において、
前記電極は、前記第一の孔及び前記第二の孔の開口部のうち前記測定管の外側の各開口部に設置された前記電極を固定するための前記部材により固定され、前記電極の一端は信号線に接続され、前記信号線が前記電極を固定する前記部材の固定力よりも大きな力で引っ張られると前記電極が長さ方向に移動して前記測定管の内側に露呈する箇所が変わり、移動後の位置に前記部材により固定されることを特徴とするものである。
【００１０】
請求項３の発明は、請求項１または請求項２記載の発明において、
前記電極は、ワイヤー電極、ワイヤーが環状形状の電極、ローラー形状の電極、帯状の電極、またはリング状の電極であり、前記部材がワイヤー固定バネであることを特徴とするものである。
【００１１】
本発明によれば以下のような効果がある。
電磁流量計の電極についてワイヤーなど曲げることのできる柔軟性のある材料を電極材料として使用することで、流体測定の際に電極の接液面に絶縁物などが付着した場合には、ワイヤー電極などを引っ張り、測定管の内側に露呈する箇所を変更することにより、付着物が付着していない他のワイヤー電極部分を新たに接液させることで、絶縁物などの電極付着物による流量計測定が継続できなくなることを回避することができる。
流量測定を継続するための電極付着物の洗浄、除去が必須ではなくなり、電磁流量計を配管から取り外して電極を洗浄するなどの作業を省くことができる。
これにより、電磁流量計の稼働率やメンテナンス性などを高めることができる。
【図面の簡単な説明】
【００１２】
【図１】本発明の電磁流量計のワイヤー電極構造の断面図。
【図２】本発明の電磁流量計の電極接液面変更法。
【図３】従来の電磁流量計の構成図。
【図４】従来の電磁流量計の電極構造の断面図。
【発明を実施するための形態】
【００１３】
図１は、本発明に係る電磁流量計の一実施例の要部構成図であり、ワイヤー電極の電極構造の断面図である。
図１で、測定管１０は、流量測定する液体が流れる管である。ワイヤー電極１１は、測定管１０を流れる液体の流量信号を検出するための電極である。電極部品としては、ワイヤー形状の金属部品以外にも、ワイヤーが環状形状の金属部品、ローラー形状の金属部品、帯状の金属部品、またはリング状の金属部品などであってもよい。ライニング１２は、流体による測定管１０の腐食等を防止するためのものである。第一の孔１３は、測定管１０の外側から液体の流れる内側にワイヤー電極１１を挿入するために測定管１０とライニング１２を貫通した孔である。第二の孔１４は、測定管１０の液体の流れる内側から外側にワイヤー電極１１を引き出すために測定管１０とライニング１２を貫通した孔である。信号線１５は、ワイヤー電極１１の一端に接続され、ワイヤー電極１１の接液部で検出された流量信号をＡＭＰ（図１には記載されていない）に伝送するための信号線である。電極室１６は、ワイヤー電極１１や信号線１５などの電極室１６内にある電極構成部品を絶縁保護し、ワイヤー電極１１とライニング１２のシールを保つためのものである。シール部１７、１８は、ワイヤー電極１１の接液部から電極室１６に液体が漏れ出すことを防止するための部材で構成された構成部である。ワイヤー固定バネ１９、２０は、ワイヤー電極１１を固定し、かつ、ワイヤー電極１１のテンションを適正に保持することにより、振動や衝撃によるワイヤー電極１１のたるみを予防し、流体に対するシール性を高めるためのものである。なお、以下に記載する電極接液面の変更のしかたにおいて説明する通り、ワイヤー固定バネ１９、２０のバネ力は、ワイヤー電極１１の接液面を変更する際に信号線１５とワイヤー電極１１が引っ張られるため、信号線１５とワイヤー電極１１が断線しない程度のバネ力にしておく必要がある。抜け防止ワッシャー２１は、ワイヤー電極１１のもう一方の一端に取り付けられ、信号線１５が引っ張られた場合に、ワイヤー固定バネ１９からワイヤー電極１１が抜けることを防止し、液体に対するシール性を損なわないようにするためのものである。
【００１４】
図２は電極接液面の変更のしかたを示した説明図である。
図２（ａ）に示すように、流量を測定する液体によりワイヤー電極接液部に絶縁物等の付着物が付着した場合には、図２（ｂ）に示すように、ワイヤー電極に接続されている信号線を引っ張り、ワイヤー電極を長さ方向に移動させることで、ワイヤー電極の測定管の内側に露呈する接液面を変更し、付着物のない新たな電極面を接液させることにより、流量測定において電極付着物の影響を回避する。
絶縁物２２は、測定する液体中に含まれる絶縁物により、ワイヤー電極１１の接液面に付着した絶縁物である。ワイヤー電極１１の接液面に絶縁物２２が付着することにより、ワイヤー電極１１における流量信号を電磁流量計が検出できなくなった場合や、流量信号が所定の値と比較して小さくなる兆候がみられるなどワイヤー電極１１の接液面に絶縁物２２が付着しつつあることが認識できる場合には、信号線１５を、ワイヤー固定バネ１９、２０のワイヤー電極１１を固定する固定力よりも大きい力で、かつ、信号線１５とワイヤー電極１１が断線しない程度の力で、引っ張る。これにより、信号線１５に接続されているワイヤー電極１１を長さ方向に移動させ、絶縁物２２が付着していないワイヤー電極部分を、新たな接液面となるようにワイヤー電極１１を配置する。この方法により、ワイヤー電極１１の接液面を絶縁物２２が付着していない接液面に変更することができる。ワイヤー固定バネ１９、２０のバネ力により、ワイヤー電極１１は、適正なテンションが保持され、移動後の位置に固定される。また、抜け防止ワッシャー２１により、ワイヤー電極１１が引っ張られても、ワイヤー電極１１がワイヤー固定バネ１９から抜けてしまうことはない。
【００１５】
このように、電磁流量計の電極の接液面に絶縁物が付着した場合には、電極に接合されている信号線を引っ張ることにより電極を長さ方向に移動させ、ワイヤー電極の測定管の内側に露呈する接液面を変更し、絶縁物が付着していない電極面を新たに接液させることで、電磁流量計の流体測定ができなくなることを回避できる。また、電極付着物を原因とする流量計測ができなくなることを回避できるので、電極に付着した絶縁物を除去するため作業が必須ではなくなる。よって、電磁流量計を配管から取り外して、電極を洗浄するなどの作業を省くことができる。
【符号の説明】
【００１６】
１０  測定管
１１  ワイヤー電極
１３  第一の孔
１４  第二の孔
１５  信号線
２０、２１  ワイヤー固定バネ
【図３】
2016008840.tif 000003
【図１】
2016008840.tif 000004
【図２】
2016008840.tif 000005
【図４】
2016008840.tif 000006